(57)【要約】【課題】放送を継続する必要がない場合のみ、放送信号を切り替えること。【解決手段】複数セグメントを使用したデジタル放送信号のうち、多くのセグメントを使用した第１の放送信号と少ないセグメントを使用した第２の放送信号とをそれぞれ受信するために、表示制御部１１０は、第１の放送信号および第２の放送信号のうち、受信可能ないずれか一方の放送信号の放送をディスプレイ１１３へ出力する。そして、第２の放送信号の放送を出力しているときに、第１の放送信号が受信可能な状態に変化した場合に、第２の放送信号の放送を継続することが必要であるか否かを判定し、第２の放送信号の放送を継続することが必要ではないと判断した場合に、第１の放送信号の放送信号をディスプレイ１１３へ出力する。【選択図】図１
2008103811.tif 000002
【特許請求の範囲】
【請求項１】
２以上のセグメントが割り当てられた第１の放送信号、および前記第１の放送信号よりも少ない数のセグメントが割り当てられた第２の放送信号を含むデジタル放送信号を受信するデジタル放送受信装置であって、
前記第１の放送信号および前記第２の放送信号のうち、受信可能ないずれか一方の放送信号の放送を出力する制御手段と、
前記制御手段が前記第２の放送信号の放送を出力しているときに、前記第１の放送信号が受信可能な状態に変化した場合に、前記第２の放送信号の放送を継続することが必要であるか否かを判定する判定手段とを備え、
前記制御手段は、前記判定手段が前記第２の放送信号の放送を継続することが必要であると判断した場合に、前記第２の放送信号の放送を継続して出力することを特徴とするデジタル放送受信装置。
【請求項２】
請求項１に記載のデジタル放送受信装置において、
前記判定手段は、前記第１の放送信号が受信可能な状態に変化した場合に、前記第１の放送信号が受信可能な状態が継続する期間を推定し、推定した前記期間に基づいて、前記第２の放送信号の放送を継続することが必要であるか否かを判定することを特徴とするデジタル放送受信装置。
【請求項３】
２以上のセグメントが割り当てられた第１の放送信号、および前記第１の放送信号よりも少ない数のセグメントが割り当てられた第２の放送信号を含むデジタル放送信号を受信するデジタル放送受信装置であって、
前記第１の放送信号および前記第２の放送信号のうち、受信可能ないずれか一方の放送信号に含まれるデータ放送を出力する制御手段と、
前記制御手段が前記第２の放送信号に含まれるデータ放送を出力しているときに、前記第１の放送信号が受信可能な状態に変化した場合に、前記第２の放送信号に含まれるデータ放送を継続することが必要であるか否かを判定する判定手段とを備え、
前記制御手段は、前記判定手段が前記第２の放送信号に含まれるデータ放送を継続することが必要であると判断した場合に、前記第２の放送信号に含まれるデータ放送を継続して出力することを特徴とするデジタル放送受信装置。
【請求項４】
請求項３に記載のデジタル放送受信装置において、
前記判定手段は、前記第１の放送信号が受信可能な状態に変化した場合に、使用者からの指示に基づく前記データ放送のデータ通信の有無、または前記データ通信が完了してからの経過時間に基づいて、前記第２の放送信号に含まれるデータ放送を継続することが必要であるか否かを判定することを特徴とするデジタル放送受信装置。
【請求項５】
請求項３に記載のデジタル放送受信装置において、
前記判定手段は、前記第２の放送信号に含まれるデータ放送の出力が開始されてからの経過時間が所定時間未満である場合には、前記第２の放送信号に含まれるデータ放送を継続することが必要であると判定することを特徴とするデジタル放送受信装置。
【請求項６】
請求項３に記載のデジタル放送受信装置において、
前記判定手段は、前記第１の放送信号が受信可能な状態に変化した場合に、前記第１の放送信号が受信可能な状態が継続する期間を推定し、推定した前記期間に基づいて、前記第２の放送信号に含まれるデータ放送を継続することが必要であるか否かを判定することを特徴とするデジタル放送受信装置。
【請求項７】
２以上のセグメントが割り当てられた第１の放送信号、および前記第１の放送信号よりも少ない数のセグメントが割り当てられた第２の放送信号を含むデジタル放送信号を受信するためのデジタル放送受信方法であって、
前記第１の放送信号および前記第２の放送信号のうち、受信可能ないずれか一方の放送信号の放送を出力し、
前記第２の放送信号の放送を出力しているときに、前記第１の放送信号が受信可能な状態に変化した場合に、前記第２の放送信号の放送を継続することが必要であるか否かを判定し、
前記第２の放送信号の放送を継続することが必要であると判断した場合に、前記第２の放送信号の放送を継続して出力することを特徴とするデジタル放送受信方法。
【請求項８】
２以上のセグメントが割り当てられた第１の放送信号、および前記第１の放送信号よりも少ない数のセグメントが割り当てられた第２の放送信号を含むデジタル放送信号を受信するためのデジタル放送受信方法であって、
前記第１の放送信号および前記第２の放送信号のうち、受信可能ないずれか一方の放送信号に含まれるデータ放送を出力し、
前記第２の放送信号に含まれるデータ放送を出力しているときに、前記第１の放送信号が受信可能な状態に変化した場合に、前記第２の放送信号に含まれるデータ放送を継続することが必要であるか否かを判定し、
前記第２の放送信号に含まれるデータ放送を継続することが必要であると判断した場合に、前記第２の放送信号に含まれるデータ放送を継続して出力することを特徴とするデジタル放送受信方法。
【発明の詳細な説明】
【技術分野】
【０００１】
本発明は、デジタル放送を受信するためのデジタル放送受信装置、およびデジタル放送受信方法に関する。
【背景技術】
【０００２】
次のようなデジタル放送受信装置が知られている。このデジタル放送受信装置は、移動体に搭載され、伝送帯域を分割した複数のセグメントの組み合わせによる階層で伝送されているデジタル放送信号を受信するものである。そして、電波の受信状態が悪くなった場合には、受信するデジタル放送信号をセグメント数が少ない階層に切り替え、電波の受信状態が良くなった場合には、受信するデジタル放送信号をセグメント数が多い階層に切り替える（例えば、特許文献１）。
【０００３】
【特許文献１】特開２００３―２７４３０２号公報
【発明の開示】
【発明が解決しようとする課題】
【０００４】
しかしながら、従来の装置は、電波の受信状態が悪くなった場合に受信するデジタル放送信号をセグメント数が最も少ない階層に切り替えるため、電波強度の変動が激しい場所を移動しているときには、受信するデジタル放送信号の切り替えが頻繁に発生する。このため、使用者にとって見にくい映像になってしまう可能性があった。
【課題を解決するための手段】
【０００５】
本発明は、２以上のセグメントが割り当てられた第１の放送信号、および第１の放送信号よりも少ない数のセグメントが割り当てられた第２の放送信号を含むデジタル放送信号を受信するためのデジタル放送受信装置および方法であって、第１の放送信号および第２の放送信号のうち、受信可能ないずれか一方の放送信号の放送を出力し、第２の放送信号の放送を出力しているときに、第１の放送信号が受信可能な状態に変化した場合に、第２の放送信号の放送を継続することが必要であるか否かを判定し、第２の放送信号の放送を継続することが必要であると判断した場合に、第２の放送信号の放送を継続して出力することを特徴とする。
本発明はまた、第１の放送信号および第２の放送信号のうち、受信可能ないずれか一方の放送信号に含まれるデータ放送を出力し、第２の放送信号に含まれるデータ放送を出力しているときに、第１の放送信号が受信可能な状態に変化した場合に、第２の放送信号に含まれるデータ放送を継続することが必要であるか否かを判定し、第２の放送信号に含まれるデータ放送を継続することが必要であると判断した場合に、第２の放送信号に含まれるデータ放送を継続して出力することを特徴とする。
【発明の効果】
【０００６】
本発明によれば、第２の放送信号の放送または第２の放送信号に含まれるデータ放送を継続することが必要であると判断した場合には、第２の放送信号の放送または第２の放送信号に含まれるデータ放送を継続して出力するため、使用者にとって見にくい映像になることを防ぐことができる。
【発明を実施するための最良の形態】
【０００７】
―第１の実施の形態―
図１は、第１の実施の形態におけるデジタル放送受信装置の一実施の形態の構成を示すブロック図である。デジタル放送受信装置１００は、例えば、地上波デジタル放送受信用の受信装置（地デジチューナー）であって、アンテナ１０１と、チューナー１０２と、ＦＦＴ（Ｆａｓｔ  Ｆｏｕｒｉｅｒ  Ｔｒａｎｓｆｏｒｍ）１０３と、重み付け回路１０４と、Ｐ／Ｓ（Ｐａｒａｌｌｅｌ／Ｓｅｒｉａｌ）１０５と、誤り訂正部１０６と、分離回路１０７と、デコード部１０８と、音声制御部１０９と、映像制御部１１０と、チューナー制御部１１１と、スピーカー１１２と、ディスプレイ１１３とを備えている。
【０００８】
このデジタル放送受信装置１００は、受信方式としてダイバーシティー方式を採用し、２アンテナ２チューナーの構成となっている。すなわち、アンテナ１０１、チューナー１０２、およびＦＦＴ１０３を２つずつ備えている。そして、重み付け回路１０４を一般的なダイバーシティー部として設けて、各ＦＦＴ１０３から入力される信号を最大比合成法によって合成する。
【０００９】
チューナー１０２は、アンテナ１０１を介して受信可能な物理チャンネルの選択を行なう。例えば、使用者によって設定された希望放送局（希望局）の電波を受信するようにチャンネル選択を行なう。そして、アンテナ１０１を介したデジタル信号をＦＦＴ１０３へ出力する。また、アンテナ１０１の１本当たりのＣＮ（Ｃａｒｒｉｅｒ  Ｎｏｉｓｅ）比や端子電力を検出して、チューナー制御部１１１へ出力する。ＦＦＴ１０３は、チューナー１０２から入力されたデジタル信号を高速フーリエ変換して復調し、復調後の信号を重み付け回路１０４へ出力する。重み付け回路１０４は、上述したように、各ＦＦＴ１０３から入力される信号を合成するために最大比合成処理を行う。合成された信号はＰ／Ｓ１０５、およびチューナー制御部１１１へ出力される。
【００１０】
Ｐ／Ｓ１０５は、重み付け回路１０４から入力される合成語のデジタル信号（パラレル信号）をシリアル信号に変換して、誤り訂正部１０６へ出力する。誤り訂正部１０６は、Ｐ／Ｓ１０５から入力されたデジタル信号の誤りを訂正して、誤り訂正後のデジタル信号を分離回路１０７へ出力する。また、誤り訂正部１０６は、ＢＥＲ（Ｂｉｔ  Ｅｒｒｏｒ  Ｒａｔｅ）を算出し、算出したＢＥＲをチューナー制御部１１１へ出力する。
【００１１】
分離回路１０７は、入力されたデジタル信号を１２セグ放送信号と１セグ放送信号に分離する。すなわち、地上波デジタル放送のデジタル放送信号は、各放送局用の伝送帯域は１３分割されており、そのうちの１２セグメントが割り当てられた放送信号（１２セグ放送信号）と、１セグメインが割り当てられた放送信号（１セグ放送信号）とに分離することができる。分離回路１０７は、誤り訂正部１０６から入力されたデジタル信号を、この１２セグと１セグとに分離する。そして、分離した１２セグ放送信号と１セグ放送信号とをデコード部１０８へ出力する。
【００１２】
デコード部１０８は、ＭＰＥＧ２デコード部１０８ａと、Ｈ２６４／ＡＶＣデコード部１０８ｂとを含んでいる。ＭＰＥＧ２デコード部１０８ａは、１２セグ放送信号をデコードしてデジタル信号をアナログの映像信号およびアナログの音声信号に変換する。また、Ｈ２６４／ＡＶＣデコード部１０８ｂは、１セグ放送信号をデコードしてデジタル信号をアナログの映像信号およびアナログの音声信号に変換する。そして、ＭＰＥＧ２デコード部１０８ａおよびＨ２６４／ＡＶＣデコード部１０８ｂのそれぞれは、変換して得たアナログ音声信号を音声制御部１０９へ出力し、アナログ映像信号を映像制御部１１０へ出力する。また、デコード部１０８は、デコード状況をチューナー制御部１１１へ出力する。
【００１３】
音声制御部１０９および映像制御部１１０は、それぞれ１２セグ放送信号と１セグ放送信号とを切り替えて出力する機能を備えており、それぞれ後述する放送切替処理を実行して、１２セグ放送と１セグ放送との間で、出力対象の放送を切り替える。そして、音声制御部１０９は、出力対象の放送のアナログ音声信号をスピーカー１１２へ出力し、映像制御部１１０は、出力対象のアナログ映像信号をディスプレイ１１３へ出力する。これによって、１２セグ放送信号または１セグ放送信号の放送がスピーカ１１２およびディスプレイ１１３へ出力される。
【００１４】
チューナー制御部１１１は、チューナー１０２、重み付け回路１０４、誤り訂正部１０６、およびデコード部１０８から入力される種々の情報に基づいて、地上波デジタル放送の電波の受信状況を監視したり、電波に含めて送信されているデータ放送の受信状況を監視したりする。
【００１５】
このようなデジタル放送受信装置１００を使用して地上波デジタル放送を受信し、スピーカー１１２やディスプレイ１１３を介してテレビ映像および音声を出力する場合には、上述した１２セグ放送と１セグ放送のいずれか一方を選択して出力する必要がある。ここで、１２セグ放送と１セグ放送との間には、次の（Ａ）〜（Ｄ）に示すような違いがある。
【００１６】
（Ａ）情報量
情報量は、１２セグ放送の方が１セグ放送よりも多い。
（Ｂ）画質
画質は、１２セグ放送の方が１セグ放送よりも良い。
（Ｃ）受信エリア
受信エリアは、１セグ放送の方が１２セグ放送よりも広い
【００１７】
（Ｄ）受信コンテンツの内容
１２セグ放送と１セグ放送のそれぞれには、使用者が視聴する映像および音声（テレビ放送）とともに、種々のデータコンテンツ（データ放送）が含まれている。このデータ放送の内容は、１２セグ放送と１セグ放送との間で異なる。データ放送としては、放送中の番組内容に関連する情報、例えば番組内容に関する情報や、放送中の番組内容に関連しない情報、例えば天気予報や最新ニュースなどの情報が含まれる。使用者は、テレビを視聴中に所定の操作を行うことによって、ディスプレイ１１３上に視聴中のテレビ放送と共にデータ放送の内容を表示することができる。
【００１８】
例えば、上述したように１２セグ放送信号に含まれる情報量は１セグ放送信号よりも多いため、多くのデータコンテンツを電波に含めることができる。このため、使用者が１２セグ放送を視聴中にデータ放送の表示を指示した場合には、映像制御部１１０は、図２に示すように、テレビ放送と共に１２セグ放送信号に含まれるデータ放送の内容を表示する。この図２に示す例では、テレビ放送表示領域２ａ内にテレビ放送を表示し、データ放送表示領域２ｂ内に番組情報、天気予報、最新ニュースなどの種々のデータ放送の内容を表示している。なお、１２セグ放送を受信する受信装置、例えば家庭用テレビなどは、画面サイズが大きいため１画面内に多くの情報を表示することができる。
【００１９】
これに対して、１セグ放送信号に含まれる情報量は１２セグ放送信号よりも少ないため、多くのデータコンテンツを電波に含めることができない。このため、使用者が１セグ放送を視聴中にデータ放送の表示を指示した場合には、映像制御部１１０は、図３に示すように、テレビ放送と共に１セグ放送信号に含まれるデータ放送の内容を表示する。例えば、図３（ａ）に示すように、データ放送表示領域２ｂ内に番組に関連する番組情報のみを表示したり、図３（ｂ）に示すように、データ放送表示領域２ｂ内に番組に関連しない天気予報や最新ニュースなどを表示したりする。なお、１セグ放送を受信する受信装置、例えば携帯端末などは、画面サイズが小さいため１画面内に多くの情報を表示することができない。
【００２０】
デジタル放送受信装置１００を自動車などの移動体に搭載して使用する場合には、上述した（Ａ）〜（Ｄ）の１２セグ放送と１セグ放送のそれぞれの特徴を加味して、移動体の移動に伴って変化する電波の受信状況に応じて、ディスプレイ１１３に出力する放送を１２セグ放送と１セグ放送との間で切り替えるのが一般的である。すなわち、移動体（自動車）が１２セグ放送と１セグ放送のいずれも受信可能なエリアを移動（走行）している場合には、上述したように１２セグ放送の方が情報量が多い上に画質が良いことから、１２セグ放送を優先的に出力することが好ましい。このため、音声制御部１０９および映像制御部１１０は、１２セグ放送のアナログ信号をスピーカー１１２およびディスプレイ１１３へ出力して、１２セグ放送に切り替える。
【００２１】
これに対して、１セグ放送の方が１２セグ放送よりも受信エリアが広いため、移動体が１２セグ放送を受信できないエリアを移動しているときでも１セグ放送は受信できる可能性がある。このため、移動体が１２セグ放送を受信できないエリアまたは１２セグ放送の電波が弱いエリアであって、１セグ放送の受信が可能なエリアを移動している場合には、音声制御部１０９および映像制御部１１０は、１セグ放送のアナログ信号をスピーカー１１２およびディスプレイ１１３へ出力して、１セグ放送に切り替える。
【００２２】
しかしながら、上述したように１２セグ放送と１セグ放送とでは、受信コンテンツの内容が異なり、図２および図３に示したように、ディスプレイ１１３への表示内容が異なる。このため、電波の受信状況だけを監視して１２セグ放送と１セグ放送とを切り替えた場合には、頻繁に表示画面が切り替わってしまう可能性があり、使用者が不快な思いをする可能性がある。よって、このような問題点を解消するために、音声制御部１０９および映像制御部１１０は、１セグ放送を出力中に１２セグ放送への切り替えが可能になったことを検出した場合には、以下に説明する放送切替処理を実行して、１セグ放送から１２セグ放送への切り替え可否を判断する。そして、切り替え可能であると判断した場合に、出力対象の放送を１２セグ放送へ切り替える。これによって、１２セグ放送を優先的に出力するようにした上で、１セグ放送から１２セグ放送への復帰が使用者の意図に反して行なわれないようにすることができる。
【００２３】
また、音声制御部１０９による放送切替処理と、映像制御部１１０による放送切替処理とは、出力するアナログ信号の種類、およびアナログ信号の出力先が異なるのみで、処理の内容は同一のため、以下に説明する例では代表して映像制御部１１０による放送切替処理について説明する。すなわち、映像制御部１１０が放送切替処理を実行してディスプレイ１１３へ出力する信号を１２セグ放送のアナログ映像信号と１セグ放送のアナログ映像信号との間で切り替える例について説明する。そして、音声制御部１０９が放送切替処理を実行してスピーカー１１２へ出力する信号を１２セグ放送のアナログ音声信号と１セグ放送のアナログ音声信号との間で切り替える処理については、説明を省略する。
【００２４】
図４は、第１の実施の形態における放送切替処理の流れを示すフローチャートである。図４に示す処理は、１２セグ放送の受信が可能なエリアで使用者によってテレビ放送の視聴開始が指示された場合に起動するプログラムとして、映像制御部１１０によって実行される。
【００２５】
ステップＳ１０において、映像制御部１１０は、使用者によって指示された放送局（希望局）の１２セグ放送のアナログ映像信号をディスプレイ１１３へ出力して、ステップＳ２０へ進む。ステップＳ２０では、チューナー制御部１１１からの出力に基づいて、希望局の１２セグ放送が受信できるか否かを判断する。１２セグ放送が受信できないと判断した場合には、ステップＳ３０へ進み、チューナー制御部１１１からの出力に基づいて、希望局の１セグ放送が受信できるか否かを判断する。
【００２６】
１セグ放送が受信できないと判断した場合には、ステップＳ４０へ進み、使用者に対して希望局の１２セグ放送も１セグ放送も受信できない旨を通知するためのワーニング画面をディスプレイ１１３へ表示する。または、デジタル放送受信装置１００にＤＶＤ再生装置など、他の映像コンテンツを入力する装置が接続されている場合には、それらの入力装置から入力される映像コンテンツをディスプレイ１１３へ表示する。その後、ステップＳ２０へ戻る。これに対して、１セグ放送が受信できると判断した場合には、ステップＳ５０へ進む。ステップＳ５０では、映像制御部１１０は、使用者によって指示された放送局（希望局）の１セグ放送のアナログ映像信号をディスプレイ１１３へ出力して、ステップＳ６０へ進む。
【００２７】
ステップＳ６０では、チューナー制御部１１１からの出力に基づいて、希望局の１２セグ放送を受信できる電波が入力されているか否かを判断する。希望局の１２セグ放送を受信できる電波が入力されていると判断した場合には、ステップＳ７０へ進む。ステップＳ７０では、使用者によって１セグ放送に含まれるデータ放送が使用されているか否かを判断する。例えば、使用者によってデータ放送の表示が指示され、図３に示したように、ディスプレイ１１３にデータ放送が表示されているか、または、データ放送が表示されている画面上で、使用者がいずれかの表示項目を選択して詳細情報を閲覧するなど、データ放送の操作が行われているか否かを判断する。
【００２８】
使用者によってデータ放送が使用されていると判断した場合には、１セグ放送の継続が必要であると判断して、ステップＳ５０へ戻ってそのまま１セグ放送の出力を継続する。一方、使用者によってデータ放送が使用されていないと判断した場合には、１セグ放送の継続が必要ではないと判断する。そして、ステップＳ８０へ進み、ディスプレイ１１３へ出力するアナログ映像信号を１セグ放送の信号から１２セグ放送の信号へ切り替えて、ステップＳ１０へ戻る。
【００２９】
以上説明した第１の実施の形態によれば、以下のような作用効果を得ることができる。
（１）使用者が１セグ放送を視聴している場合に、１２セグ放送の電波が受信可能な状態に変化した場合には、１セグ放送の継続が必要か否かを判断し、１セグ放送の継続が必要である場合には、出力対象の信号を１２セグ放送に切り替えずに、１セグ放送を継続して出力するようにした。これによって、１セグ放送の継続が必要な場合には１２セグ放送に切り替えないようにして、使用者が不快な思いをすることを避けることができる。
【００３０】
（２）使用者によって１セグ放送に含まれるデータ放送が使用されていないときに１セグ放送の継続は必要でないと判断して、１２セグ放送へ切り替えるようにした。これによって、使用者が１セグ放送のデータ放送を使用している途中で不意に１２セグ放送に切り替わることを防ぐことができる。
【００３１】
―第２の実施の形態―
第２の実施の形態では、第１の実施の形態とは異なる方法で１セグ放送の継続が必要か否かを判断し、１セグ放送の継続が必要でないと判断した場合にのみ、１セグ放送から１２セグ放送への切り替えを行う場合について説明する。なお、図１〜図３の各図については、第１の実施の形態と同様のため、説明を省略する。
【００３２】
図５は、第２の実施の形態における放送切替処理の流れを示すフローチャートである。図５に示す処理は、１２セグ放送の受信が可能なエリアで使用者によってテレビ放送の視聴開始が指示された場合に起動するプログラムとして、映像制御部１１０によって実行される。なお、図４に示した第１の実施の形態と同一の処理については、同じステップ番号を付与し、相違点を中心に説明する。また、音声制御部１０９による放送切替処理と、映像制御部１１０による放送切替処理とは、出力するアナログ信号の種類、およびアナログ信号の出力先が異なるのみで、処理の内容は同一のため、以下に説明する例では代表して映像制御部１１０による放送切替処理について説明する。
【００３３】
ステップＳ７１において、映像制御部１１０は、使用者によって最後にデータ放送の操作が行われてから、所定時間、例えばＸ秒が経過したか否かを判断する。所定時間経過していないと判断した場合には、１セグ放送の継続が必要であると判断して、ステップＳ５０へ戻る。これに対して、所定時間経過したと判断した場合には、ステップＳ７２へ進む。ステップＳ７２では、ディスプレイ１１３に継続してデータ放送が表示されているか否かを判断する。表示されていると判断した場合には、１セグ放送の継続が必要であると判断して、ステップＳ５０へ戻ってそのまま１セグ放送の出力を継続する。一方、ディスプレイ１１３にデータ放送が表示されていないと判断した場合には、１セグ放送の継続が必要ではないと判断してステップＳ８０へ進む。
【００３４】
以上説明した第２の実施の形態によれば、第１の実施の形態における作用効果に加えて以下のような効果を得ることができる。すなわち、使用者によって最後にデータ放送の操作が行われてから所定時間が経過し、かつディスプレイ１１３に継続してデータ放送が表示されていない場合に、１セグ放送の継続は必要でないと判断して、１２セグ放送へ切り替えるようにした。これによって、使用者が１セグ放送のデータ放送を操作している途中で不意に１２セグ放送に切り替わることを防ぐことができる。
【００３５】
―第３の実施の形態―
第３の実施の形態では、第１および第２の実施の形態とは異なる方法で１セグ放送の継続が必要か否かを判断し、１セグ放送の継続が必要でないと判断した場合にのみ、１セグ放送から１２セグ放送への切り替えを行う場合について説明する。なお、図１〜図３の各図については、第１の実施の形態と同様のため、説明を省略する。
【００３６】
図６は、第３の実施の形態における放送切替処理の流れを示すフローチャートである。図６に示す処理は、１２セグ放送の受信が可能なエリアで使用者によってテレビ放送の視聴開始が指示された場合に起動するプログラムとして、映像制御部１１０によって実行される。なお、図４に示した第１の実施の形態と同一の処理については、同じステップ番号を付与し、相違点を中心に説明する。また、音声制御部１０９による放送切替処理と、映像制御部１１０による放送切替処理とは、出力するアナログ信号の種類、およびアナログ信号の出力先が異なるのみで、処理の内容は同一のため、以下に説明する例では代表して映像制御部１１０による放送切替処理について説明する。
【００３７】
ステップＳ７３では、映像制御部１１０は、使用者によって１セグのテレビ放送（ＯＡ）がディスプレイ１１３に全画面表示されてから所定時間、例えばＸ秒が経過したか否かを判断する。所定時間経過していないと判断した場合には、１セグ放送の継続が必要であると判断して、ステップＳ５０へ戻る。これに対して、所定時間経過したと判断した場合には、１セグ放送の継続が必要ではないと判断して、ステップＳ８０へ進む。
【００３８】
以上説明した第３の実施の形態によれば、第１の実施の形態における作用効果に加えて以下のような効果を得ることができる。すなわち、使用者によって１セグ放送に含まれるデータ放送が使用されておらず、かつ使用者によって１セグのテレビ放送（ＯＡ）がディスプレイ１１３に全画面表示されてから所定時間が経過している場合に、１セグ放送の継続は必要でないと判断して、１２セグ放送へ切り替えるようにした。これによって、使用者が１セグ放送のデータ放送を使用している間に不意に１２セグ放送に切り替わることを防ぐことができと共に、１セグのテレビ放送を全画面表示した後、すぐに１２セグ放送に切り替わることによって、使用者が不快な思いをすることを防ぐことができる。
【００３９】
―第４の実施の形態―
第４の実施の形態では、第１〜第３の実施の形態とは異なる方法で１セグ放送の継続が必要か否かを判断し、１セグ放送の継続が必要でないと判断した場合にのみ、１セグ放送から１２セグ放送への切り替えを行う場合について説明する。なお、図１〜図３の各図については、第１の実施の形態と同様のため、説明を省略する。
【００４０】
図７は、第４の実施の形態における放送切替処理の流れを示すフローチャートである。図７に示す処理は、１２セグ放送の受信が可能なエリアで使用者によってテレビ放送の視聴開始が指示された場合に起動するプログラムとして、映像制御部１１０によって実行される。なお、図４に示した第１の実施の形態と同一の処理については、同じステップ番号を付与し、相違点を中心に説明する。また、音声制御部１０９による放送切替処理と、映像制御部１１０による放送切替処理とは、出力するアナログ信号の種類、およびアナログ信号の出力先が異なるのみで、処理の内容は同一のため、以下に説明する例では代表して映像制御部１１０による放送切替処理について説明する。
【００４１】
ステップＳ６１では、映像制御部１１０は、チューナー制御部１１１からの出力に基づいて、希望局の１２セグ放送の受信電波が安定して入力されているか否かを判断する。例えば、映像制御部１１０は、チューナー制御部１１１からの出力に基づいて、所定時間、端子ＣＮ比が所定値以上入力されているときに、希望局の１２セグ放送の受信電波が安定して入力されていると判定する。この他、所定時間、端子電力が所定値以上入力されているとき、所定時間、重み付け回路１０４による最大比合成後のＣＮ比が所定値以上確保されているとき、または所定時間、誤り訂正部１０６による誤り訂正後のＢＥＲが所定値以上確保されているときに、希望局の１２セグ放送の受信電波が安定して入力されていると判定してもよい。
【００４２】
以上説明した第４の実施の形態によれば、第１の実施の形態における作用効果に加えて以下のような効果を得ることができる。すなわち、希望局の１２セグ放送の受信電波が安定して入力されており、かつ使用者によって１セグ放送に含まれるデータ放送が使用されていないときに１セグ放送の継続は必要でないと判断して、１２セグ放送へ切り替えるようにした。これによって、マルチパスや受診フリンジェリアといった電波変動の激しい環境下において、ディスプレイ１１３の表示内容が１２セグ放送と１セグ放送との間で頻繁に切り替わることを防ぐことができる。
【００４３】
―変形例―
なお、上述した実施の形態のデジタル放送受信装置は、以下のように変形することもできる。
（１）第１、第３、および第４の実施の形態では、ディスプレイ１１３にデータ放送が表示されているか、または、データ放送が表示されている画面上で、使用者がいずれかの表示項目を選択して詳細情報を閲覧するなど、データ放送の操作が行われているか否かを判断して、使用者がデータ放送を使用しているか否かを判断する例について説明した。しかしながら、データ放送のデータ通信中、または緊急警報放送（ＥＷＳ）の視聴中や操作中に使用者がデータ放送を使用していると判断するようにしてもよい。
【００４４】
（２）第２の実施の形態では、使用者によって最後にデータ放送の操作が行われてから、所定時間が経過したか否かを判断して、１セグ放送の継続が必要であるか否かを判断する例について説明した。しかしながら、使用者によってデータ放送の表示指示がされてから、最後にデータ通信を行ってから、あるいは最後に緊急警報放送（ＥＷＳ）の視聴または操作中が行われてから所定時間が経過したか否かを判断して、１セグ放送の継続が必要であるか否かを判断してもよい。
【００４５】
（３）上述した第２の実施の形態におけるステップＳ７１では、使用者によって最後にデータ放送の操作が行われてから所定時間が経過したか否かを判断して１セグ放送の継続が必要であるか否かを判断するようにした。また、上述した第３の実施の形態におけるステップＳ７３では、使用者によって１セグのテレビ放送（ＯＡ）がディスプレイ１１３に全画面表示されてから所定時間が経過したか否かを判断して１セグ放送の継続が必要であるか否かを判断するようにした。しかしながら、デジタル放送受信装置が移動体に搭載されている場合には、いずれの場合も所定時間が経過したか否かを判断するのではなく、移動体が所定距離移動（走行）したか否かを判断して１セグ放送の継続が必要であるか否かを判断するようにしてもよい。
【００４６】
（４）上述した第１〜第４の実施の形態では、出力対象の信号を１セグ放送信号から１２セグ放送信号に切り替える場合に、１セグ放送の継続が必要であるか否かを判断し、継続が必要である場合には切り替えを行わず、継続が必要でない場合のみ切り替えを行うようにした。しかしながら、出力対象の信号を１２セグ放送信号から１セグ放送信号に切り替える場合に、１２セグ放送の継続が必要であるか否かを判断し、継続が必要である場合には切り替えを行わず、継続が必要でない場合のみ切り替えを行うようにしてもよい。
【００４７】
（５）上述した第４の実施の形態では、ステップＳ６１において、映像制御部１１０は、現在の希望局の１２セグ放送の受信状況に基づいて、１２セグ放送の受信可能な期間を推定する。そして、推定した継続期間が所定の期間以上である場合には、希望局の１２セグ放送の受信電波が安定して入力されていると判定してもよい。例えば、１２セグ放送の受信可能エリアがどの程度の時間継続するかを推定してもよく、あるいは、１２セグ放送の受信可能エリア外に到達するまでの移動体の走行距離を推定してもよい。これによって、推定した継続時間が所定時間未満である場合には、希望局の１２セグ放送の受信電波が安定して入力されていないと判定され、１２セグ放送への切り替えを行なわないようにすることができる。このため、１２セグ放送に切り替えた後に、すぐに電波が受信できなくなることによって１セグ放送に再度切り替えられることを防止して、頻繁に画面が切り替わることを防止することができる。すなわちディスプレイ１１３に表示されるテレビ画面のクリフエフェクト現象を防ぐことができる。なお、この変形例は、使用者がテレビ放送を視聴している場合、およびデータ放送を視聴している場合のいずれの場合にも適用することができる。
【００４８】
（６）上述した第１〜第４の実施の形態では、各放送局用の伝送帯域は１３分割されており、そのうちの１２セグメントを使用した放送信号（１２セグ放送信号）と、１セグメインを使用した放送信号（１セグ放送信号）との間で出力する対象信号を切り替える例について説明した。しかしながら、２以上のセグメントが割り当てられた第１の放送信号、および前記第１の放送信号よりも少ない数のセグメントが割り当てられた第２の放送信号を含むデジタル放送信号を受信して、第１の放送信号と第２の放送信号との間で出力する対象信号を切り替える場合にも本発明は適用可能である。
【００４９】
なお、本発明の特徴的な機能を損なわない限り、本発明は、上述した実施の形態における構成に何ら限定されない。
【００５０】
特許請求の範囲の構成要素と実施の形態との対応関係について説明する。映像制御部１１０は表示制御手段に、判定手段は音声制御部１０９および表示制御部１１０に相当する。なお、以上の説明はあくまでも一例であり、発明を解釈する際、上記の実施形態の記載事項と特許請求の範囲の記載事項の対応関係に何ら限定も拘束もされない。
【図面の簡単な説明】
【００５１】
【図１】デジタル放送受信装置の一実施の形態の構成を示すブロック図である。
【図２】１２セグ放送を視聴しているときの画面の具体例を示す図である。
【図３】１セグ放送を視聴しているときの画面の具体例を示す図である。
【図４】第１の実施の形態における放送切替処理のフローチャート図である。
【図５】第２の実施の形態における放送切替処理のフローチャート図である。
【図６】第３の実施の形態における放送切替処理のフローチャート図である。
【図７】第４の実施の形態における放送切替処理のフローチャート図である。
【符号の説明】
【００５２】
１００  デジタル放送受信装置
１０１  アンテナ
１０２  チューナー
１０３  ＦＦＴ
１０４  重み付け回路
１０５  Ｐ／Ｓ
１０６  誤り訂正部
１０７  分離回路
１０８  デコード部
１０９  音声制御部
１１０  映像制御部
１１１  チューナー制御部
１１２  スピーカー
１１３  ディスプレイ
【図１】
2008103811.tif 000003
【図２】
2008103811.tif 000004
【図３】
2008103811.tif 000005
【図４】
2008103811.tif 000006
【図５】
2008103811.tif 000007
【図６】
2008103811.tif 000008
【図７】
2008103811.tif 000009